(57)【要約】【課題】非ロッキング状態では的確なランバーサポート機能を確保し、ロッキング状態では身体へのフィット性を確保した椅子を提供する。【手段】ベース２の前部には第１支軸２２によって中間部材１９が後傾可能に連結されており、この中間部材１９に座３を固定している。中間部材１９は背支柱２０ａを備えており、背支柱２０ａの上端部に背もたれ４の上端部を固定している。ベース２の後端部にリアフレーム４０を第２支軸４２で連結している。第２支軸４２は第３支軸４９で背支柱２０ａに連結されている。リアフレーム４０の上端に設けたコロ状のサポート体５４で背インナーシェル４ａの背面を押し、かつ、背インナーシェル４ａの下部は、ガイドピン５６とガイド体５７とにより、リアフレーム４０に対して離反不能で上下動可能に保持されている。【選択図】図３
2008012186.tif 000002
【特許請求の範囲】
【請求項１】
座と、後傾動自在な背もたれと、前記背もたれの上部が取り付く背支柱と、前記背もたれのうち背支柱に対する取り付け部よりも下方の部位を後方から支えるリアフレームとを備えており、前記背もたれは、縦断側面視の形状が容易に変形するように柔軟性を備えていると共に、非後傾状態では着座した人の腰部を押すように縦断側面視で前向き凸の形状になっており、リアフレームが背支柱よりも大きな割合で後傾することにより、背もたれは後傾しつつ縦断側面視で扁平な状態に向けて伸び変形するようになっている、
という椅子であって、
前記リアフレームには、背もたれのうち縦断側面視で最も大きく前向き突出している部分を後方から押すサポート体が設けられており、かつ、背もたれのうち前記サポート体よりも下方の部位をリアフレームに離反不能で上下相対動可能に保持している、
椅子。
【請求項２】
更に、脚で支持されたベースと、前記ベースの前部に後退動及び後傾動自在に連結された中間部材とを備えており、前記中間部材には、前記座が取り付けられていると共に前記背もたれの上部が取り付く背支柱を一体に設けている一方、前記ベースのうち座の後端寄りに位置した後部に、前記リアフレームがその下端を中心にして後傾動し得るように取り付けられており、更に、リアフレームの上下中途部と前記背支柱とが相対回動可能に連結されている、
請求項１に記載した椅子。
【請求項３】
前記サポート体は水平状の軸線回りに回転自在なコロ状に形成されている、
請求項１又は２に記載した椅子。
【請求項４】
前記コロ状のサポート体は、背もたれの縦長中心線の部分が最も小径で縦長中心線から外側に行くに従って外径が大きくなる略鼓形に形成されている、
請求項３に記載した椅子。
【発明の詳細な説明】
【技術分野】
【０００１】
本願発明は、ランバーサポート機能とロッキング機能とを有する椅子に関するものである。
【背景技術】
【０００２】
背もたれが後傾動する椅子において、非ロッキング状態で着座者の姿勢安定性を高めるため、着座者の腰椎（特に第３腰椎のあたり）を背もたれで支えること（ランバーサポート機能）の重要性が注目されており、このため、背もたれの下部を縦断側面視で前向き凸状に突き出すことが行われている。
【０００３】
しかし、従来のロッキング椅子では、非ロッキング姿勢（作業姿勢）でもロッキング姿勢でも背もたれの側断面形状は一定であるため、背もたれの形状を非ロッキング状態での形状に合わせておくと、ロッキング時に身体に強い突き上げ感を感じるという不具合があった（ロッキング時に背もたれの下部が相対的に前向き突出する椅子も提案されているが、この場合は、突き上げ感が一層大きくなる。）。
【０００４】
この問題に対して本願出願人は、特許文献１において、座が取り付いた傾動フレーム（本願の中間部材に相当する）に背支柱を設けて、この背支柱の上端部に背もたれの上部を連結する一方、ベースに傾動自在に連結した補助フレーム（本願のリアフレームに相当する）と前記傾動フレームとを相対回動可能に連結し、補助フレームのうち傾動フレームに対する連結点よりも上方の部位を背もたれに上下相対動可能に連結した構成の椅子を提案した。
【特許文献１】特願２００５−３３６３２
【発明の開示】
【発明が解決しようとする課題】
【０００５】
この先願によると、リアフレームの後傾の度合いが傾動フレームの後傾の度合いよりも大きいため、背もたれは、非ロッキング状態において側断面視で前向き凸状に大きく湾曲していても、ロッキング時には扁平に近い状態に伸び変形することになり、このため、ロッキング時に背もたれによる身体の突き上げ感を無くしてフィット性を高めることができる。
【０００６】
すなわち、非ロッキング時には腰椎を的確に支持できると共に、ロッキングには背中全体を違和感なく支持することができる。また、座と背もたれとは一体に後傾するが、背もたれの姿勢が変化することにより、結果として背もたれは座より大きい角度で後傾することになる。
【０００７】
本願発明は、基本的にこの先願発明の構成を採用しつつ、非ロッキング状態でのランバーサポート機能のアップとロッキング状態でのフィット性のアップとを図ることを課題とするものである。
【課題を解決するための手段】
【０００８】
本願発明に係る椅子は、座と、後傾動自在な背もたれと、前記背もたれの上部が取り付く背支柱と、前記背もたれのうち背支柱に対する取り付け部よりも下方の部位を後方から支えるリアフレーム（リアリンクと言ってもよい）とを備えており、前記背もたれは、縦断側面視の形状が容易に変形するように柔軟性を備えていると共に、非後傾状態では着座した人の腰部を押すように縦断側面視で前向き凸の形状になっており、リアフレームが背支柱よりも大きな割合で後傾することにより、背もたれは後傾しつつ縦断側面視で扁平な状態に向けて伸び変形するようになっている。
【０００９】
そして、請求項１の発明では、特徴として、前記リアフレームには、背もたれのうち縦断側面視で最も大きく前向き突出している部分を後方から押すサポート体が設けられており、かつ、背もたれのうち前記サポート体よりも下方の部位をリアフレームに離反不能で上下相対動可能に保持している。
【００１０】
請求項２の発明は、請求項１に加えて、脚で支持されたベースと、前記ベースの前部に後退動及び後傾動自在に連結された中間部材とを備えており、前記中間部材には、前記座が取り付けられていると共に前記背もたれの上部が取り付く背支柱を一体に設けている一方、前記ベースのうち座の後端寄りに位置した後部に、前記リアフレームがその下端を中心にして後傾動し得るように取り付けられており、更に、リアフレームの上下中途部と前記背支柱とが相対回動可能に連結されている。
【００１１】
請求項３の発明は、請求項１又は２において、前記サポート体は水平状の軸線回りに回転自在なコロ状に形成されている。更に請求項４の発明では、請求項３において、前記コロ状のサポート体は、背もたれの縦長中心線の部分が最も小径で縦長中心線から外側に行くに従って外径が大きくなる略鼓形に形成されている。
【発明の効果】
【００１２】
本願発明では、背もたれは、背支柱に取り付けられた部分とリアフレームに離反不能に保持された部分とを上下の支点として、リアフレームのサポート体で前向きに押した状態になっている。そして、先ず、背もたれのうち縦断側面視で最も前向きに突出した部分（すなわち人の腰部を押す部分）がサポート体で後ろから押されているため、背もたれの前向き突出部が体圧で後退することはなく、このためランバーサポートを確実に保持できる。
【００１３】
また、背もたれの下部は、サポート体に当たった部分は手前に押されて、リアフレームに離反不能に保持された部分は後方に引かれており、いわば、上下２点において前後逆向きに押し引きされることで縦断面前向き凸の形態になっているため、サポート体が当たっている部分よりも下方の部分も縦断側面視で変形し得る。このため、背もたれは非ロッキングでは自然な丸みを帯びた状態で前向き凸状に湾曲させることができ、また、ロッキング状態では背もたれを全体にわたって伸び方向に変形させることができ（人の上半身の背面のプロフィールに倣うように変形させることができ）、このため、使用者の身体へのフィット性に優れている。
【００１４】
座が背もたれの後傾に連動して座が後退及び後傾するシンクロタイプの椅子は、ロッキング時に座と背もたれとが離反することに基因したいわゆるシャツ捲れ現象を防止又は抑制できる利点がある。しかし、シンクロタイプの椅子では背もたれの後傾と座の後退及び後傾とを一つのばねで支持しているため、ばねのばね力が弱いと、着座すると同時に座が後退及び後傾して人に不快感を与える虞がある。さりとてばねの強さを強くすると、背もたれのスムースな後傾動が阻害される虞がある。
【００１５】
これに対して請求項２のように構成すると、リアフレームは座の後端より部位においてベースに連結されているため、着座による荷重がリアフレームを後傾させるように作用することはなくて、リアフレームで中間部材を後部から支えている状態になり、このため着座時に座が後退及び後傾することを防止できる。
【００１６】
請求項３のようにサポート体をコロ状（或いはローラ状）に形成すると、サポート体が背もたれの背面をスムースに移動し得るため、背もたれがその傾動によって断面形状を変化させることが円滑に行われる利点がある。更に、請求項４のようにサポート体を略鼓状に形成すると、サポート体は背もたれの背面に左右両側から当たるため、サポート体を介して背もたれによって着座者の背骨が押されることを防止でき、このためランバーサポート機能及びフィット性により一層優れている。
【発明を実施するための最良の形態】
【００１７】
次に、本願発明の実施形態を図面に基づいて説明する。
【００１８】
(1).椅子の概要
まず、図１〜図３に基づいて椅子の概要を説明する。図１のうち（Ａ）は正面図、（Ｂ）は右側面図、図２のうち（Ａ）は平面図、（Ｂ）は図１（Ａ）の IIB-IIB視断面図、（Ｃ）は背面図、（Ｄ）は座と背もたれのみの縦断側面図、図３は椅子の縦断側面図である。
【００１９】
椅子は、脚１と、脚１の上端に取り付けたベース２と、その上方に配置した座３と、座３の後方に配置した背もたれ４とを備えている。脚１は、ガスシリンダからなる脚柱５と、脚柱５から放射状に延びる枝足６とを備えており、各枝足６の先端にはキャスター７を設けている。脚柱５のロックは、ベース２に設けたレバー８（図１（Ａ）参照）の操作によって解除できる。
【００２０】
図２（Ｄ）及び図３に示すように、座３は、樹脂製の前後インナーシェル（座板）９，１０とそれらの上面に一連に延びるように張ったクッション体１１とを備えており、従って、座３は、ロッキングしない限り動かない座後部３ｂと、前傾動可能な座前部３ａとから成っている。詳細は省略するが、前部インナーシェル９と後部インナーシェル１０とは左右横長の連結ピン１２で連結されており、座前部３ａは連結ピン１２を中心にして前傾する。
【００２１】
背もたれ４は、背インナーシェル４ａの前面にクッション４ｂを張った構造になっており、背インナーシェル４ａの後方には、背インナーシェル４ａの略全部高にわたって延びるバックカバー１３を配置している（バックカバー１３は後述する背支柱に固定されている。）。
【００２２】
また、バックカバー１３とベース２との間の空間はリアカバー１４で塞がれており、更に、ベース２の前方にはフロントカバー１５を装着しており、フロントカバー１５の左右両側には、座前部３ａを傾動操作するためのフロントレバーの摘まみ１６が露出している。なお、フロントカバー１５は座３の前部インナーシェル９に取り付けられている。図１及び図２に示す符号１７は、背もたれ４を後傾可能な状態と後傾不能状態とに切り換えるレバーである。
【００２３】
(2).座部の詳細
次に、図４〜図８も参照して座とその周辺部を詳述する。図４及び図５は座３の支持機構を示す分離斜視図、図６は座を省略した状態での平面図、図７は図６の VII-VII視断面図、図８は図６の VIII-VIII視断面図である。
【００２４】
ベース２は上向きに開口したハウジング状になっており、座３とベース２との間には、例えば図４に示すように、座３と背もたれ４とが取り付く中間部材１９が配置されている。中間部材１９は左右２本のパイプ２０を主要部材として備えており、パイプ２０の後端は上向きに延びて背支柱２０ａになっている。すなわち、本実施形態では、座３と背もたれ４とは一つの中間部材１９に取り付けられている。
【００２５】
中間部材１９を構成する左右パイプ２０の前部には、正面視上向き開口コ字状のフロントブラケット２１が溶接によって固着されている。そして、左右のフロントブラケット２１に左右横長の第１支軸（スライド軸）２２が溶接によって固着されており、また、左右のパイプ２０の水平部は、第１連結部体２３及び第２連結体２４で一体に連結されている。第１支軸２２はパイプ２０より下方に配置されている。
【００２６】
図３に示すように、後部インナーシェル１０の下方には樹脂製の座アウターシェル（座受け板）２５が配置されており、後部インナーシェル１０は座アウターシェル２５に着脱可能に固定されており、座アウターシェル２５は、中間部材１９の第１連結体２３にビス等によって固定されている。
【００２７】
図４，７，８から理解できるように、中間部材１９の第１支軸２２は上下に重なり合う下受け部材２６と上受け部材２７とで挟まれており、更に、上受け部材２７には押さえ部材２８が重なっており、これらの三者は互いに重ねた状態でベース２にねじ（図示せず）で共締めされている。
【００２８】
例えば図５に示すように、下受け部材２６には前後左右４個の係合穴２９が上下に貫通して空いている一方、ベース２には、前記係合穴２９がきっちり嵌まるボス体２ａが一体に形成されており、ボス体２ａに下受け部材２６を嵌め込むことにより、下受け部材２６は水平方向に移動不能に保持される。押さえ部材２８はボス体２ａにビスで締結されている。ボス体２ａは上窄まりになっており、このため、下受け部材２６は嵌め込みが容易であると共にずれ不能に保持される。
【００２９】
ベース２には、下受け部材２６の後端が当たるセンター突起２ｂ、脚柱５が嵌まる穴２ｃ、肘掛け（図示せず）を取り付けるための張り出し部２ｄなどが形成されている。なお、ベース２や上下受け部材２６，２７はアルミ等のダイキャスト製品であり、押さえ部材２８は板金製品であるが、勿論、素材や加工方法は任意に選択できる。
【００３０】
上下受け部材２６，２７には、第１支軸２２が前後にスライドすることを許容する長溝３０が形成されている。上下の長溝３０は互いに重なることで長穴となっている。上下受け部材２６，２７の間にはばね（圧縮コイルばね）３１が配置されており、下受け部材２６の後端にはばね３１を後方から支持するための後ろ壁３２が形成されている。他方、中間部材１９の第１支軸２２には、ばね３１を前方から支える前部ばね受け３３が重なっている。
【００３１】
従って、中間部材１９（及び座３と背もたれ４）は、ばね３１に抗して後方にスライド可能でかつ第１支軸２２を中心にして後傾し得る。なお、上下受け部材２６，２７を使用せずに、第１支軸２２をベース２に直接に取り付けてもよい。
【００３２】
図９，１０に示すように、上下受け部材２６，２７の長溝（長穴）３０は水平方向に延びている。このため、ばね３１のばね力が過度に大きくなくても、人が座３に腰掛けただけで座３が後傾することはない。
【００３３】
図６に示すように、左右フロントブラケット２１の前端部には、フロントレバー３４を回動自在に保持するための軸受け部材３５が取り付けられており、軸受け部材３５でカム部材３６を支持している。詳細は省略するが、摘まみ１６に手を当ててフロントレバー３４をその回動支軸３４ａの回りに回動させると、カム部材３６によってフロントレバー３３のクランク部３３ｂが回動して、座前部３ａが水平姿勢と前傾姿勢とに切り換えられる。
【００３４】
(3).背もたれの取り付け構造
次に、図３に加えて図９〜図１３も参照して背もたれ４の取り付け構造を説明する。図９は主要部材の分離斜視図、図１０のうち（Ａ）は背インナーシェルの正面図、（Ｂ）は（Ａ）のＢ−Ｂ視断面図、（Ｃ）は（Ａ）のＣ−Ｃ視断面図、図１１は主要部材の分離斜視図、図１２は背もたれ４を取り外した状態での斜視図であり、（Ａ）はカバーを取り付けていないもの、（Ｂ）はカバーを取り付けたもの、図１３は要部の縦断側面図である。
【００３５】
図３に示すように、背もたれ４は、樹脂製の背インナーシェル４ａとその前面に張ったクッション４ｂとを備えており（クロスも張っている）、背インナーシェル４ａは、図１０（Ａ）に示すように、多数の横長スリット３８を形成することにより、縦断側面視形状が容易に変わり得るように柔軟性を持たせている。
【００３６】
図９や図１２に示すように、左右背支柱２０ａの上端は断面コ字状のアッパー連結体３９によって連結されており、背インナーシェル４ａの上端部はこのアッパー連結体３９に離反不能に取り付けられている。この場合、図１０（Ｂ）に示すように、背インナーシェル４ａの上部に係止部４ｃを形成して、この係止部４ｃをアッパー連結体３９に嵌着している。
【００３７】
背もたれ４の支持機構として、左右２本のパイプ材を主要部材とする側面視略Ｌ文字状のリアフレーム４０が配置されている。リアフレーム４０を構成する左右のパイプの前端部には、ブラケット板４１を介して左右横長の第２支軸４２が一体に固着されている。前記第２支軸４２は、ベース２の後部に上下２割り方式の軸受け４３，４４で回動可能な状態に挟まれており、軸受け４３，４４は押さえ部材４５によってビスでベース２に固定されている。従って、リアフレーム４０は第３支軸４２を中心にして傾動し得る。なお、リアフレーム４０はベース２にピンで連結しても良い。
【００３８】
なお、図３では軸受け４３，４４は本来は断面表示すべきであるが、煩雑になるため断面表示（ハッチング）は施していない。また、図１１では上方の軸受け部材４３しか表示していない。
【００３９】
リアフレーム４０を構成する左右パイプの下部には、金属板製の第３連結体４６が一体に固着されており、また、左右パイプの上端部には金属板製の第４連結体４７が一体に固着されている。第４連結体４６は前向き溝と４６ａと上下羽根板４６ｂとを備えている一方、左右背支柱２０ａの下部にはブラケット材４８を介して第３支軸４９が一体に固定されている。
【００４０】
そして、図１３に明示するように、第３支軸４９を上下二つ割方式の軸受け体５０，５１で回転可能に挟むと共に、前後軸受け５０，５１を前方から重なった押さえ部材５２を介して第３連結体４６に固定している。従って、中間部材１９（背支柱２０ａ）とリアフレーム４０とは連動して回動する。後ろ側の軸受け５０は第３連結体４６の前向き溝４６ａに嵌まっており、押さえ部材５２は第３連結体４６の羽根板４６ｂにビスで固定されている。
【００４１】
リアフレーム４０における第４連結体４７には、上向きに延びる左右一対の軸受け片４７ａが一体に形成されており、この左右軸受け片４７ａに挿通したピン５２にコロ状（或いはローラ状）のサポート体５４を回転可能に嵌め入れて、サポート体５４を背インナーシェル４ａの背面に当てている。背インナーシェル４ａは、サポート体５４が当たった部分が最も手前に位置するように側面視で前向き凸状に押し曲げられている。また、背インナーシェル４ａの前向き頂点部分は、着座した人の第３腰椎と略同じ高さになるように設定している。
【００４２】
図３に示すように、背インナーシェル４ａの背面のうちリアフレーム４０の第３連結体４６と第４連結体４７との間に位置した部分には、後ろ向きに突出した箱状のブラケット部５４を介して左右横長のガイドピン５６を一体に形成している（ガイドピン５６は背インナーシェル４ａと別部材でも良い。）。
【００４３】
他方、図１３に示すように、リアフレーム４０の第３連結体４６と第４連結体４７とに、背もたれ４のガイドピン５６が嵌まるガイド体５７をビスで固定している。ガイド体５７は、上下長手でかつ下部が前向きに開口したガイド溝５７ａを有しており、ガイド溝５７ａにガイドピン５６が嵌まることにより、背インナーシェル４ａはリアフレーム４０から前向き離反不能でかつ上下動可能に保持（係止）される。なお、ガイド溝５７ａの下部が前向きに開口しているのは、ガイドピン５６を手前側から嵌脱することを許容するためである。
【００４４】
リアフレーム４０は補助カバー５９で前方から覆われており、かつ、図１２（Ｂ）に示すように、背もたれ４を支持する機構部のうちサポート体５４の周辺を除いた部分は前カバー５８で覆われている。前カバー５８には、補助カバー５９の略上半分を露出させるための窓穴５９ａが空いている。バックカバー１３にはこれを取り付けるための爪を設けているが、図９では表示を省略している。図１２に示すように、背支柱２０ａのアッパー連結体３９にはハンガー５９を取り付けることができる。
【００４５】
図３から理解できるように、リアフレーム４０は座３の後端寄りの部位においてベース２に取り付けられており、このため、リアフレーム４０の回動支点は、人が着座するに際して荷重が作用する中心点（図３の白抜き矢印の位置）よりも後方にずれている。このため、人が着座して背もたれ４にもたれ掛かっていない状態では、中間部材１９（及び背支柱２０ａ）はリアフレーム４０で後方から上向きに支持された状態になっており、これによっても、人が単に着座しただけで第１支軸２２が後退動することを阻止している。
【００４６】
(4).座と背もたれの動き
図１４は椅子の骨組みを模式的に示した図であり、この図１４に基づいて座と背もたれ４の動きを説明する。
【００４７】
リアフレーム４０と背支柱２０ａ（中間部材１９）とが連結されているため、リアフレーム４０も背支柱２０ａの後傾動に連動して後傾するが、リアフレーム４０は回動支点が背支柱２０ａの回動支点よりも後方に位置しているため、リアフレーム４０は背支柱２０ａよりも大きな角度で後傾する。また、中間部材１９は後退動もするため、リアフレーム４０は後方に押されながら後傾することになり、この点によっても、リアフレーム４０は背支柱２０ａよりも大きな割合で後傾する。
【００４８】
このため、サポート体５４は背支柱２０ａに対して相対的に後傾することになる。そして、背インナーシェル４ａの下部はガイドピン５２がガイド部材５７に嵌まっていてリアフレーム４０から離反不能に保持されているため、サポート体５４が背支柱２０ａに対して相対的に後退すると、背インナーシェル４ａは縦断側面視で前向き凸状に大きく変形していた状態から、扁平に近い状態に伸び変形することになる（ガイドピン５２とガイド部材４５は、背インナーシェル４ａを引き伸ばす作用を備えている。）。
【００４９】
着座した人が上半身を直立姿勢又はやや前傾姿勢にしてキーボード操作等の作業を行う場合は、腰椎（特に第３腰椎のあたり）が背もたれ４で支えられることにより、人は安定した姿勢を保持できる。他方、ロッキング時に背もたれ４が前向き凸状に大きく湾曲したままであると、人の上半身はのけぞるような状態に曲げられるため安楽性に欠けるが、本願発明では、ロッキング状態で背もたれ４は扁平な状態に伸び勝手になるため身体に違和感を与えることはない。
【００５０】
また、背もたれ４が扁平状に向けて伸び勝手となることにより、結果として背もたれ４は座３よりも大きな角度で後傾することになり、このため座３と背もたれ４とを中間部材１９に取り付けたものでありながら、背もたれ４に必要な後傾角度を保持せしめることができる。また、背もたれ４のうち前向き突出部をサポート体５４で押しているため、背もたれ４の前向き突出部が人の体圧で後退することはなく、ランバーサポート機能をしっかりと保持できる。
【００５１】
更に、背インナーシェル４ａは前向き突出部より下方の部位も縦断側面視で容易に変形させ得るため、背インナーシェル４ａの全体が、非ロッキング状態では自然な丸みを帯びた形状と成して人の腰部を柔らかく押すことができてランバーサポート機能を向上できる一方、ロッキング状態ではごく緩く湾曲した状態に全体的に伸び変形させることができて、ロッキング状態でもフィット性を向上できる。
【００５２】
加えて、サポート体５４は背インナーシェル４ａの縦長中心線を挟んだ両側に向けて外径が大きくなる略鼓状に形成されているため、使用者の背骨が背インナーシェル４ａを介してサポート体５４で押されることはなく、その結果、サポート体５４が硬い樹脂製品であっても、使用者が背骨にゴツゴツとした感じを受けることはなくて当たりの柔らかさを確保することできる。
【００５３】
サポート体５４を鼓形に形成した場合、全体を一体の樹脂製品とすると、中心穴の内周面のヒケ等によって円滑な回転が阻害される虞があるが、左右に分割すると長さが短くなるため円滑に回転させることができる。また、背インナーシェル４ａとクッション４ｂとはクロス製の袋で覆うことが行われており、この場合、袋を開閉するための縦長のファスナーが背もたれ４の背面の縦長中心線に沿って延びることになるが、サポート体５４を鼓形（換言すると、左右中間部がくびれた形状）に形成すると、サポート体５４がファスナーに緩衝することを防止できる。この点も本実施形態の利点である。
【００５４】
(5).その他
以上、本願発明の実施形態を説明したが、本願発明は他にも様々の形態に具体化できる。例えばベースや座、中間部材、リアフレーム、背もたれ等の各部材の形態はその機能を保持する限りどのような形態にすることも可能である。例えば中間部材及びリアフレームとも板金製品としたりダイキャスト等の成形品としたりすることも可能である。中間部材のうち座の下方に位置した部分をダイキャスト製品として、背支柱をパイプ製とすることも可能である。
【００５５】
また、サポート体は必ずしもコロ状である必要はない。サポート体を円筒形のコロ状に形成して、その外周面にエラストマー等の軟質緩衝材を巻くといったことも可能である。また、リアフレームを背支柱よりも大きい割合で後傾させる機構としては、複数本のリンクからなるリンク機構を採用するといったことも可能である。サポート体は左右に分離せずに一体の構造でも良いし、逆に、３個以上のコロ状部材で構成することも可能である。
【図面の簡単な説明】
【００５６】
【図１】椅子の正面図及び右側面図である。
【図２】椅子の平面図、図１（Ａ）の IIB-IIB視断面図、背面図、座と背もたれのみの縦断側面図である。
【図３】縦断側面図である。
【図４】座部を構成する部材の分離斜視図である。
【図５】ベースと下受け部座との分離斜視図である。
【図６】座を省略した状態での部分的な平面図である。
【図７】図６の VII-VII視断面図である。
【図８】図６の VIII-VIII視断面図である。
【図９】背部を構成する部材の分離斜視図である。
【図１０】背インナーシェルの構造を示す図である。
【図１１】背もたれの形状を変形させる機構を構成する部材の分離斜視図である。
【図１２】部材を組み込んだ状態での背部の斜視図である。
【図１３】背部の部分的な縦断側面図である。
【図１４】背もたれと座との動きを示す図である。
【符号の説明】
【００５７】
１  脚
２  ベース
３  座
４  背もたれ
４ａ  背インナーシェル
２２  第１支軸
１９  中間部材
２０ａ  背支柱
４０  リアフレーム
４２  第２支軸
４９  第３支軸
５４  サポート体
５５  背インナーシェルにおける箱状のブラケット部
５６  背インナーシェルのガイドピン
５７  ガイド部材
【図１】
2008012186.tif 000003
【図２】
2008012186.tif 000004
【図３】
2008012186.tif 000005
【図４】
2008012186.tif 000006
【図５】
2008012186.tif 000007
【図６】
2008012186.tif 000008
【図７】
2008012186.tif 000009
【図８】
2008012186.tif 000010
【図９】
2008012186.tif 000011
【図１０】
2008012186.tif 000012
【図１１】
2008012186.tif 000013
【図１２】
2008012186.tif 000014
【図１３】
2008012186.tif 000015
【図１４】
2008012186.tif 000016